(57)【要約】      （修正有）【課題】プラント内の機器の情報に簡単にアクセスすることが可能なプラント監視装置、プラント監視方法、およびプラント監視プログラムを提供する。【解決手段】プラント監視装置２は、複数のプラント１ａに設けられた系統であって、前記プラント間で同じ名称を有する系統の名称を画面上に表示する系統名称表示部１１を備える。前記装置はさらに、前記画面上に表示された前記系統の名称から所定の系統の名称が選択された場合、所定のプラント内の前記所定の系統に含まれる機器の識別情報を前記画面上に表示する識別情報表示部１３を備える。前記装置はさらに、前記画面上に表示された前記機器の識別情報から所定の機器の識別情報が選択された場合、前記所定のプラントから受信した前記所定の機器に関する情報である機器情報を前記画面上に表示する機器情報表示部１５を備える。【選択図】図２
2020013468.tif 000002
【特許請求の範囲】
【請求項１】
複数のプラントに設けられた系統であって、前記プラント間で同じ名称を有する系統の名称を画面上に表示する系統名称表示部と、
前記画面上に表示された前記系統の名称から所定の系統の名称が選択された場合、所定のプラント内の前記所定の系統に含まれる機器の識別情報を前記画面上に表示する識別情報表示部と、
前記画面上に表示された前記機器の識別情報から所定の機器の識別情報が選択された場合、前記所定のプラントから受信した前記所定の機器に関する情報である機器情報を前記画面上に表示する機器情報表示部と、
を備えるプラント監視装置。
【請求項２】
前記識別情報表示部は、前記機器の識別情報を、前記機器同士の関係を示す図の形で表示する、請求項１に記載のプラント監視装置。
【請求項３】
前記識別情報表示部は、前記機器の識別情報を、前記機器を列挙するリストの形で表示する、請求項１に記載のプラント監視装置。
【請求項４】
前記機器情報表示部は、前記所定の機器の機器情報として、前記所定の機器の運転状況を示す情報を表示する、請求項１から３のいずれか１項に記載のプラント監視装置。
【請求項５】
前記機器情報表示部は、前記所定の機器の運転状況を示す情報を、前記運転状況の時間変化を示すグラフの形で表示する、請求項４に記載のプラント監視装置。
【請求項６】
前記系統名称表示部は、前記複数のプラントのうちの第１のプラントに設けられた系統と、前記複数のプラントのうちの第２のプラントに設けられた系統から、前記第１および第２のプラントに設けられ前記第１および第２のプラント間で同じ名称を有する系統を抽出し、抽出された系統の名称を前記画面上に表示する、請求項１から５のいずれか１項に記載のプラント監視装置。
【請求項７】
複数のプラントに設けられた系統であって、前記プラント間で同じ名称を有する系統の名称を画面上に表示し、
前記画面上に表示された前記系統の名称から所定の系統の名称が選択された場合、所定のプラント内の前記所定の系統に含まれる機器の識別情報を前記画面上に表示し、
前記画面上に表示された前記機器の識別情報から所定の機器の識別情報が選択された場合、前記所定のプラントから受信した前記所定の機器に関する情報である機器情報を前記画面上に表示する、
ことを含むプラント監視方法。
【請求項８】
複数のプラントに設けられた系統であって、前記プラント間で同じ名称を有する系統の名称を画面上に表示し、
前記画面上に表示された前記系統の名称から所定の系統の名称が選択された場合、所定のプラント内の前記所定の系統に含まれる機器の識別情報を前記画面上に表示し、
前記画面上に表示された前記機器の識別情報から所定の機器の識別情報が選択された場合、前記所定のプラントから受信した前記所定の機器に関する情報である機器情報を前記画面上に表示する、
ことを含むプラント監視方法をコンピュータに実行させるプラント監視プログラム。
【発明の詳細な説明】
【技術分野】
【０００１】
本発明の実施形態は、プラント監視装置、プラント監視方法、およびプラント監視プログラムに関する。
【背景技術】
【０００２】
発電プラント内の種々の機器の運転状況を監視するために、これらの機器の運転データを、機器の階層に基づいて取り扱うプラント監視装置が知られている。例えば、プラント監視装置のユーザがある機器の運転データにアクセスしようとする場合には、その機器を含む系統からその機器へと階層をたどっていくことで、その機器の運転データにアクセスすることができる。
【先行技術文献】
【特許文献】
【０００３】
【特許文献１】特開２００９−１９３１９５号公報
【特許文献２】ＷＯ２００２／０３５３０２号公報
【特許文献３】特開２００２−２１５２２７号公報
【特許文献４】特開２０１５−１９１５０６号公報
【特許文献５】特開２００１−０４２９２９号公報
【発明の概要】
【発明が解決しようとする課題】
【０００４】
しかし、発電プラントの機器は、プラントごとに異なる名称で呼ばれている場合や、プラントごとに異なる個数や配置で設けられている場合があるため、ユーザが階層をたどって各機器の運転データにアクセスするのは面倒である。例えば、あるプラントの復水ポンプの運転状況を、別のプラントの同じ種類の復水ポンプの運転状況と比較したい場合に、復水ポンプの個数や配置がプラント間で異なっていると、ユーザはこれらの復水ポンプの運転データに素早くアクセスすることができない。
【０００５】
そこで、本発明の実施形態は、プラント内の機器の情報に簡単にアクセスすることが可能なプラント監視装置、プラント監視方法、およびプラント監視プログラムを提供することを課題とする。
【課題を解決するための手段】
【０００６】
一の実施形態によれば、プラント監視装置は、複数のプラントに設けられた系統であって、前記プラント間で同じ名称を有する系統の名称を画面上に表示する系統名称表示部を備える。前記装置はさらに、前記画面上に表示された前記系統の名称から所定の系統の名称が選択された場合、所定のプラント内の前記所定の系統に含まれる機器の識別情報を前記画面上に表示する識別情報表示部を備える。前記装置はさらに、前記画面上に表示された前記機器の識別情報から所定の機器の識別情報が選択された場合、前記所定のプラントから受信した前記所定の機器に関する情報である機器情報を前記画面上に表示する機器情報表示部を備える。
【図面の簡単な説明】
【０００７】
【図１】第１実施形態の発電システムの構成を示す模式図である。
【図２】第１実施形態のプラント監視装置の構成を示す模式図である。
【図３】第１実施形態のプラント監視装置の動作を説明するための図である。
【図４】第１実施形態の比較例のプラント監視装置の動作を説明するための図である。
【図５】第２実施形態のプラント監視装置の構成を示す模式図である。
【図６】第２実施形態のプラント監視装置の動作を説明するための図である。
【発明を実施するための形態】
【０００８】
以下、本発明の実施形態を、図面を参照して説明する。図１〜図６において、同一または類似の構成には同一の符号を付し、重複する説明は省略する。
【０００９】
（第１実施形態）
図１は、第１実施形態の発電システムの構成を示す模式図である。
【００１０】
図１の発電システムは、複数の発電プラント１と、これらの発電プラント１内の機器の運転状況を監視するプラント監視装置２と、これらの発電プラント１とプラント監視装置２とを接続するネットワーク３とを備えている。
【００１１】
発電プラント１は、火力、水力、風力、原子力、地熱、太陽光などのいずれかの方式で発電する。各発電プラント１は、ＰＣ（Personal Computer）などの情報処理装置１ａを備えている。情報処理装置１ａは例えば、各発電プラント１の制御室に設置されており、各発電プラント１内の機器の運転データをリアルタイムで収集し出力する。図１は、複数の発電プラント１として、４つの発電プラント１を例示している。これらの発電プラント１は、適宜「プラントＡ〜Ｄ」と呼ぶことにする。
【００１２】
プラント監視装置２は、マウスやキーボードなどの入力部２ａと、メモリやストレージなどの記憶部２ｂと、ディスプレイなどの表示部２ｃと、プロセッサなどの制御部２ｄとを備えている。プラント監視装置２のユーザは、各発電プラント１内の機器の運転データにアクセスするための操作を入力部２ａにより行い、表示部２ｃに表示された運転データを見ることで機器の運転状況をリアルタイムに知ることができる。
【００１３】
ネットワーク３は、発電プラント１とプラント監視装置２との間での情報の授受に使用される。ネットワーク３は、有線と無線のいずれにより構成されていてもよい。
【００１４】
図２は、第１実施形態のプラント監視装置２の構成を示す模式図である。
【００１５】
本実施形態のプラント監視装置２は、系統名称表示部１１、系統名称選択部１２、識別情報表示部１３、識別情報選択部１４、機器情報表示部１５などの機能ブロックを備えている。これらの機能ブロックは例えば、記憶部２ｂに格納されたコンピュータプログラムを制御部２ｄにより実行することで実現される。このプログラムは、プラント監視プログラムの一例であり、記録媒体からプラント監視装置２にインストールされたものでもよいし、ネットワーク３上のサーバなどからプラント監視装置２にダウンロードされたものでもよい。
【００１６】
本実施形態のプラント監視装置２はさらに、図１に示す複数の発電プラント１用に共通に設けられた系統管理ＤＢ（データベース）２１と、各々の発電プラント１用に個別に設けられた識別情報ＤＢ２２とを備えている。図２は、識別情報ＤＢ２２として、プラントＡ用の識別情報ＤＢ２２と、プラントＢ用の識別情報ＤＢ２２とを例示している。
【００１７】
以下、図２の機能ブロックについて詳細に説明する。この説明の中で、図３も適宜参照する。図３は、第１実施形態のプラント監視装置２の動作を説明するための図である。
【００１８】
系統名称表示部１１は、図１に示す複数のプラント１に設けられた系統であって、これらのプラント１間で同じ名称を有する系統の名称を、表示部２ｃの画面上に表示する。例えば、系統名称表示部１１は、図３(ａ)の系統選択画面３１を表示部２ｃの画面上に表示する。
【００１９】
図３(ａ)の系統選択画面３１は、復水系統、給水系統、ＸＸ系統、ＹＹ系統など、種々の系統の名称を表示している。これらの系統は、図１に示す発電プラント１のいずれにも設けられており、かつ、これらの発電プラント１で同じ名称を有している。例えば、復水系統は、蒸気を水へと戻すための系統であるが、プラントＡ〜Ｄのいずれにも設けられており、かつ、プラントＡ〜Ｄのいずれでも「復水系統」という名称で呼ばれている。一般に、発電プラント１の系統は、異なる発電プラント１でも同じ名称で呼ばれることが多いため、プラントＡ〜Ｄに含まれる系統の多くが、系統選択画面３１への表示対象になるものと考えられる。
【００２０】
系統管理ＤＢ２１には、図１に示す発電プラント１のいずれにも設けられ、かつ、これらの発電プラント１で同じ名称を有する系統の情報が、あらかじめ格納されている。具体的には、系統管理ＤＢ２１は、これらの系統をＩＤ（Identification）コードにより管理しており、ＩＤコードに基づいて、これらの系統の名称や、これらの系統内の機器の詳細ツリー（機器構成モデル）を管理している。系統管理ＤＢ２１はさらに、ＩＤコードに基づいて、これらの系統と後述する系統図とのリンクも管理している。ＩＤコードの例は、ＲＤＳ−ＰＰ（登録商標：Reference Designation System for Power Plants）である。系統名称表示部１１は、これらの系統の名称を系統管理ＤＢ２１から読み出し、読み出された名称を系統選択画面３１に表示する。なお、系統管理ＤＢ２１は、これらの系統内の機器の情報もこのＩＤコードにより管理している。
【００２１】
プラント監視装置２のユーザは、ある発電プラント１内のある系統に含まれる機器の運転データにアクセスしようとする場合、その発電プラント１を指定した後、系統選択画面３１上でその系統の名称を選択する。例えば、プラントＡ内の復水系統に含まれる復水ポンプの運転データにアクセスしようとする場合には、系統選択画面３１上で「復水系統」という名称をクリックする。なお、プラントＡを指定する操作は、系統選択画面３１を開く前に行ってもよいし、系統選択画面３１上で行ってもよい。
【００２２】
系統選択画面３１上である発電プラント１内のある系統の名称を選択する操作が入力されると、系統名称選択部１２がこの選択を受け付ける。そして、系統名称選択部１２は、その発電プラント１内のその系統に含まれる機器の識別情報を識別情報ＤＢ２２から読み出し、読み出された識別情報を識別情報表示部１３に提供する。例えば、プラントＡ内の復水系統を選択する操作が入力されると、系統名称選択部１２は、プラントＡ内の復水系統に含まれる機器の識別情報を、プラントＡ用の識別情報ＤＢ２２から読み出す。
【００２３】
識別情報表示部１３は、系統名称選択部１２から提供された識別情報を、表示部２ｃの画面上に表示する。例えば、識別情報表示部１３は、図３(ｂ)の機器選択画面３２を表示部２ｃの画面上に表示する。
【００２４】
機器の識別情報は、機器の名称、識別番号、識別コードのような文字情報で表示してもよいし、機器を示すシンボルやアイコンのような画像情報で表示してもよい。図３(ｂ)の機器選択画面３２は、復水ポンプを示す円と、センサを示す六角形と、復水ポンプ前弁を示す四角形と、復水ポンプ後弁を示す三角形と、これらの接続関係を示す線とを表示している。このように、図３(ｂ)の機器選択画面３２は、系統図に相当しており、機器の識別情報を画像情報の形で表示している。これにより、系統選択画面３１上で選択された系統の構成を、ユーザに分かりやすい形で示すことができる。
【００２５】
図３(ｂ)の機器選択画面３２は、プラントＡ内の復水系統に含まれる機器の識別情報を示している。一方、図３(ｃ)の機器選択画面３３は、プラントＢ内の復水系統に含まれる機器の識別情報を示している。例えば、系統選択画面３１上でプラントＢ内の復水系統を選択する操作が入力されると、識別情報表示部１３は、図３(ｃ)の機器選択画面３３を表示する。図３(ｂ)および図３(ｃ)に示すように、プラントＢ内の復水系統は、プラントＡ内の復水系統と異なる構成を有していることが分かる。なお、符号Ｐ１〜Ｐ３は、プラントＡやプラントＢの復水系統に含まれるセンサを示している。
【００２６】
プラントＡ用の識別情報ＤＢ２２には、プラントＡ内の各系統の系統図があらかじめ格納されている。同様に、プラントＢ用の識別情報ＤＢ２２には、プラントＢ内の各系統の系統図があらかじめ格納されている。識別情報表示部１３は、各系統の系統図を表示することで、各系統に含まれる機器の識別情報を画面上に表示することができる。
【００２７】
プラント監視装置２のユーザは、ある系統に含まれるある機器の運転データにアクセスしようとする場合、その系統用の機器選択画面上でその機器の識別情報を選択する。例えば、プラントＡ内の復水系統に含まれる復水ポンプの運転データにアクセスしようとする場合には、機器選択画面３２上で復水ポンプのシンボルをクリックする。また、プラントＡ内の復水系統に含まれるセンサの運転データにアクセスしようとする場合には、機器選択画面３２上でセンサのシンボル（Ｐ１またはＰ２）をクリックする。
【００２８】
機器選択画面３２上である発電プラント１内のある機器の識別情報を選択する操作が入力されると、識別情報選択部１４がこの選択を受け付ける。そして、識別情報選択部１４は、その発電プラント１の情報処理装置１ａから受信したその機器の運転データを、機器情報表示部１５に提供する。例えば、プラントＡ内の復水ポンプを選択する操作が入力されると、識別情報選択部１４は、プラントＡ内の復水ポンプの運転データを機器情報表示部１５に提供する。
【００２９】
各機器の運転データは、各機器の運転状況を示す情報であり、各機器に関する機器情報の例である。運転データの例は、復水ポンプの回転数、センサの測定値、復水ポンプ前弁の開度、復水ポンプ後弁の開度などである。本実施形態のプラント監視装置２は、各発電プラント１から各機器の運転データをリアルタイムに受信することができ、各機器の運転状況の時間変化（トレンド）を把握することができる。よって、この運転データを「トレンドデータ」とも呼ぶ。
【００３０】
機器情報表示部１５は、識別情報選択部１４から提供された運転データを、表示部２ｃの画面上に表示する。例えば、機器情報表示部１５は、図３(ｄ)の機器情報表示画面３４を表示部２ｃの画面上に表示する。
【００３１】
図３(ｄ)の機器情報表示画面３４は、曲線Ｃ１で示すように、プラントＡ内の復水系統に含まれる復水ポンプの回転数を示しており、具体的には、回転数の時間変化をグラフの形で示している。これにより、プラント監視装置２のユーザは、復水ポンプの運転状況をリアルタイムに知ることができる。
【００３２】
図３(ｄ)の機器情報表示画面３４はさらに、曲線Ｃ２で示すように、プラントＢ内の復水系統に含まれる復水ポンプの回転数を表示することができる。例えば、系統選択画面３１上でプラントＡおよびＢの復水系統を選択する操作を受け付け、機器選択画面３２および３３上でそれぞれプラントＡおよびＢ内の復水ポンプを選択する操作を受け付けることで、曲線Ｃ１およびＣ２を機器情報表示画面３４上に表示することが可能となる。これにより、プラントＡの復水ポンプの運転状況を、プラントＢの同じ種類の復水ポンプの運転状況と比較することが可能となる。
【００３３】
図３(ｄ)の機器情報表示画面３４はさらに、曲線Ｃ３で示すように、プラントＡおよびＢの復水ポンプの回転数の差を表示することができる。これにより、上記の比較をユーザにとってより分かりやすくすることが可能となる。
【００３４】
以上のように、本実施形態のプラント監視装置２は、発電プラント１内の種々の機器の運転データを、機器の階層に基づいて取り扱う。ただし、系統の選択では複数の発電プラント１に共通する系統の名称を使用し、機器の選択では発電プラント１ごとの系統図を使用する。よって、これらの機器が、発電プラント１ごとに異なる名称で呼ばれている場合や、発電プラント１ごとに異なる個数や配置で設けられている場合にも、これらの機器の運転データに簡単にアクセスすることが可能となる。
【００３５】
このことを、第１実施形態の比較例を参照しながら説明する。図４は、第１実施形態の比較例のプラント監視装置の動作を説明するための図である。
【００３６】
図４(ａ)は、プラントＡ用の系統／機器選択画面３５を示している。本比較例のプラント監視装置のユーザは、プラントＡ内の復水系統に含まれる復水ポンプの運転データにアクセスしようとする場合、この系統／機器選択画面３５上で復水系統を選択し、さらに、この系統／機器選択画面３５上で復水系統の下位の復水ポンプＡまたは復水ポンプＢを選択する。
【００３７】
図４(ｂ)は、プラントＢ用の系統／機器選択画面３６を示している。本比較例のプラント監視装置のユーザは、プラントＢ内の復水系統に含まれる復水ポンプの運転データにアクセスしようとする場合、この系統／機器選択画面３６上で復水系統を選択し、さらに、この系統／機器選択画面３６上で復水系統の下位の復水ポンプＡを選択する。
【００３８】
実際には、図４(ａ)の系統／機器選択画面３５にも、図４(ｂ)の系統／機器選択画面３６にも、さらに多くの系統や機器が表示される。そして、これらの画面には、プラントＡにしかない系統や、プラントＢにしかない系統も表示され得るし、同じ種類の機器が異なる名称で表示され得る。例えば、プラントＡの復水ポンプＡと、プラントＡの復水ポンプＢと、プラントＢの復水ポンプＡが異なる名称で表示されている場合、ユーザはこれらのポンプが同じ種類のポンプかどうか判断することが難しい。
【００３９】
一方、本実施形態の系統選択画面３１は、複数の発電プラント１に設けられた系統のみを表示するし、しかも同じ名称を有する系統のみを表示するため、ユーザはアクセスしたい系統を容易に見つけることができる。加えて、本実施形態の各系統内の機器は、系統図の形で表示されるため、ある機器同士が同じ種類であるかどうかを、系統図内のこれらの機器の配置から容易に推測することができる。よって、本実施形態によれば、発電プラント１内の機器の運転データにユーザが簡単にアクセスすることが可能となる。
【００４０】
なお、発電プラント１の構成によっては、各発電プラント１に含まれる系統の種類や名称は複雑であるが、各系統に含まれる機器の種類や名称はシンプルな場合もある。この場合、機器選択画面３２および３３は、各系統内の機器を系統図の形で表示する代わりに、各系統内の機器の名称を列挙するリストの形で表示してもよい。例えば、系統選択画面３１が系統の名称を列挙するように、機器選択画面３２および３３も機器の名称を列挙してもよい。この場合、系統図をあらかじめ用意する手間を回避することが可能となる。
【００４１】
以上のように、プラント監視装置２は、複数の発電プラント１に設けられた系統であって、これらの発電プラント１間で同じ名称を有する系統の名称を画面上に表示する。さらに、プラント監視装置２は、画面上に表示された系統の名称から所定の系統の名称が選択された場合、所定の発電プラント１内の所定の系統に含まれる機器の識別情報を画面上に表示する。さらに、プラント監視装置２は、画面上に表示された機器の識別情報から所定の機器の識別情報が選択された場合、所定の発電プラント１から受信した所定の機器の運転データを画面上に表示する。よって、本実施形態によれば、これらの発電プラント１内の機器の運転データに簡単にアクセスすることが可能となる。
【００４２】
なお、系統選択画面３１と機器選択画面３２、３３とに関し、本実施形態では系統選択画面３１から機器選択画面３２、３３に遷移する例を説明したが、機器選択画面３２、３３の一方から系統選択画面３１に遷移し、その後、系統選択画面３１から機器選択画面３２、３３の他方に遷移する操作を可能としてもよい。すなわち、本実施形態では、ある系統の系統図から、その系統の名称を含む系統選択画面３１へと、階層をさかのぼる操作を可能としてもよい。
【００４３】
（第２実施形態）
図５は、第２実施形態のプラント監視装置２の構成を示す模式図である。
【００４４】
本実施形態のプラント監視装置２は、系統名称表示部１１内に系統名称抽出部１１ａを備えると共に、複数の発電プラント１に共通の系統管理ＤＢ２１の代わりに、各々の発電プラント１用に個別に設けられた系統管理ＤＢ２３を備えている。図５は、系統管理ＤＢ２３として、プラントＡ用の系統管理ＤＢ２３と、プラントＢ用の系統管理ＤＢ２３とを例示している。
【００４５】
以下、図５の系統名称抽出部１１ａについて詳細に説明する。この説明の中で、図６も適宜参照する。図６は、第２実施形態のプラント監視装置２の動作を説明するための図である。
【００４６】
図６(ａ)の系統リスト３７は、プラントＡ内に設けられた系統のリストであり、プラントＡ用の系統管理ＤＢ２３内にあらかじめ格納されている。この系統管理ＤＢ２３は、プラントＡ内に設けられた系統を上述のＩＤコードにより管理しており、ＩＤコードに基づいて、これらの系統の名称や、これらの系統内の機器の詳細ツリー（機器構成モデル）を管理している。図６(ｂ)の系統リスト３８は、プラントＢ内に設けられた系統のリストであり、プラントＢ用の系統管理ＤＢ２３内にあらかじめ格納されている。この系統管理ＤＢ２３も、プラントＢ内に設けられた系統を上述のＩＤコードにより管理しており、ＩＤコードに基づいて、これらの系統の名称や、これらの系統内の機器の詳細ツリー（機器構成モデル）を管理している。その他のプラント用の系統管理ＤＢ２３にも、同様のリストが格納されている。なお、これらの系統管理ＤＢ２３は、これらの系統内の機器の情報もこのＩＤコードにより管理している。
【００４７】
系統名称抽出部１１ａは、複数の系統管理ＤＢ２３に格納されている同じ名称の系統を抽出する機能を有している。例えば、系統名称抽出部１１ａは、プラントＡ用の系統管理ＤＢ２３と、プラントＢ用の系統管理ＤＢ２３とにアクセスし、プラントＡに設けられた系統とプラントＢに設けられた系統から、プラントＡおよびＢに設けられプラントＡおよびＢ間で同じ名称を有する系統を抽出する。その結果、図６(ａ)と図６(ｂ)の両方に示されている「復水系統」「給水系統」「ＸＸ系統」「ＹＹ系統」が抽出される。
【００４８】
これにより、系統名称抽出部１１ａは、図３(ａ)の系統選択画面３１を作成することが可能となる。すなわち、抽出された系統の名称「復水系統」「給水系統」「ＸＸ系統」「ＹＹ系統」を含む系統選択画面３１を作成することが可能となる。そして、系統名称表示部１１は、系統名称抽出部１１ａにより作成された系統選択画面３１を、表示部２ｃの画面上に表示する。本実施形態のプラント監視装置２の以後の動作は、第１実施形態のプラント監視装置２の動作と同様である。
【００４９】
本実施形態によれば、複数の発電プラント１内に設けられ、これらの発電プラント１間で同じ名称を有する系統の名称をあらかじめプラント監視装置２内に保存しておかなくても、系統選択画面３１を表示することが可能となる。本実施形態によれば、このような系統の名称をプラント監視装置２が自動的に抽出して、抽出された系統の名称を用いて系統選択画面３１を自動的に作成することが可能となる。
【００５０】
なお、本実施形態では、２つ発電プラント１用の系統管理ＤＢ２３を用いて系統選択画面３１を作成する例を説明したが、本説明は、３つ以上の発電プラント１用の系統管理ＤＢ２３を用いて系統選択画面３１を作成する場合にも適用可能である。この場合、系統名称抽出部１１ａは、３つ以上の発電プラント１用の系統管理ＤＢ２３にアクセスすることで、これらの発電プラント１に設けられ、これらの発電プラント１間で同じ名称を有する系統を抽出する。これにより、３つ以上の発電プラント１で同じ名称を有する系統に関する系統選択画面３１を表示することが可能となる。これは、複数の発電プラント１の機器構成モデルを合成したものということができ、これを「合成機器構成モデル」と呼ぶ。
【００５１】
以上のように、本実施形態によれば、複数の発電プラント１間で同じ名称を有する系統を自動的に抽出することで、系統選択画面３１を作成して表示することが可能となる。
【００５２】
以上、いくつかの実施形態を説明したが、これらの実施形態は、例としてのみ提示したものであり、発明の範囲を限定することを意図したものではない。本明細書で説明した新規な装置、方法、およびプログラムは、その他の様々な形態で実施することができる。また、本明細書で説明した装置、方法、およびプログラムの形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【符号の説明】
【００５３】
１：発電プラント、１ａ：情報処理装置、２：プラント監視装置、
２ａ：入力部、２ｂ：記憶部、２ｃ：表示部、２ｄ：制御部、３：ネットワーク、
１１：系統名称表示部、１１ａ：系統名称抽出部、１２：系統名称選択部、
１３：識別情報表示部、１４：識別情報選択部、１５：機器情報表示部、
２１：系統管理ＤＢ、２２：識別情報ＤＢ、２３：系統管理ＤＢ、
３１：系統選択画面、３２：機器選択画面、３３：機器選択画面、
３４：機器情報表示画面、３５：系統／機器選択画面、３６：系統／機器選択画面、
３７：系統リスト、３８：系統リスト
【図１】
2020013468.tif 000003
【図２】
2020013468.tif 000004
【図３】
2020013468.tif 000005
【図４】
2020013468.tif 000006
【図５】
2020013468.tif 000007
【図６】
2020013468.tif 000008